(57)【要約】【課題】表示装置の照明の輝度を変更する操作があっても高品質な画像表示を維持できるようにする。【解決手段】グラフィックスコントローラ１１４は、前記表示装置に表示すべき表示イメージを形成する映像信号を生成する。高画質化エンジン１１５は、グラフィックスコントローラ１１４によって生成される映像信号を高画質化処理する。ユーザがＬＣＤ１７における照明の輝度を変更するための輝度変更操作を行なった場合、アプリケーション、中間モジュール、ＢＩＯＳ、ＥＣ／ＫＢＣ１２４を通じて、高画質化エンジン１１５の高画質化処理に使用される各種パラメータ（コントラスト、ブライトネス、ヒュー、サチュレーション、ガンマ補正値など）の値が変更される。【選択図】      図２
2006030911.tif 000002
【特許請求の範囲】
【請求項１】
照明を有する表示装置と、
前記表示装置に表示する動画像データを形成する信号を生成する第１の信号処理部と、
前記第１の信号処理部によって生成される信号に対して画質処理する第２の信号処理部と、
前記照明の輝度に応じて画質処理を前記第２の信号処理部に行わせる制御手段とを具備することを特徴とする情報処理装置。
【請求項２】
前記表示装置の照明の輝度を変更するための輝度変更操作部さらに有し、
前記制御手段は、前記輝度変更操作部を操作することで変更される輝度に適する画質処理を前記第２の信号処理部に行わせることを特徴とする請求項１記載の情報処理装置。
【請求項３】
前記表示装置の照明の輝度を変更するための輝度変更操作部さらに有し、
前記制御手段は、前記輝度変更操作部を操作することで変更される輝度に適する画質処理を前記第２の信号処理部に行わせるとともに、前記輝度変更操作部の操作に応じて前記表示装置の輝度を変更させることを特徴とする請求項１記載の情報処理装置。
【請求項４】
前記表示装置の照明の輝度を変更するための輝度変更操作部をさらに有し、
前記制御手段は、前記輝度変更操作部の操作に応じて前記照明の輝度を段階的に変更させることを特徴とする請求項１記載の情報処理装置。
【請求項５】
前記表示装置の照明の輝度を変更するための輝度変更操作部さらに有し、
前記第２の信号処理部は、前記輝度変更操作部の操作によって変更される輝度に応じた画質処理を行うための値に基づいて画質処理を行い、
前記輝度操作部を操作することで変更される輝度と前記画質処理を行うための値とを組にしてＢＩＯＳに記憶することを特徴とする請求項１記載の情報処理装置。
【請求項６】
前記表示装置の照明の輝度を変更するための輝度変更操作部をさらに有し、
前記第２の信号処理部は、前記輝度変更操作部の操作によって変更される輝度に適する画質処理を行うための値に基づいて画質処理を行い、
前記画質処理を行うための値は、コントラスト、ブライトネス、ヒュー、サチュレーション、およびガンマ補正のうちの少なくとも一つの値であることを特徴とする請求項１記載の情報処理装置。
【請求項７】
照明を有する表示装置に動画像データを表示する表示制御方法であって、
前記表示装置に表示する動画像データを形成する信号を第１の信号処理部によって生成し、
前記第１の信号処理部によって生成される信号に対して前記照明の輝度に適する画質処理を第２の信号処理部によって行い、
前記第２の信号処理部による画質処理が施された動画像データを前記表示装置に表示することを特徴とする表示制御方法。
【請求項８】
前記表示装置の照明の輝度は輝度変更操作部によって変更され、
前記輝度変更操作部を操作することで変更される輝度に適する画質処理を前記第２の信号処理部に行わせることを特徴とする請求項７記載の表示制御方法。
【請求項９】
前記表示装置の照明の輝度は輝度変更操作部によって変更され、
前記輝度操作部の操作に応じて前記照明の輝度を段階的に変更させることを特徴とする請求項７記載の表示制御方法。
【請求項１０】
前記表示装置の照明の輝度は輝度変更操作部によって変更され、
前記第２の信号処理部は、前記輝度変更操作部の操作によって変更される輝度に応じた画質処理を行うための値に基づいて画質処理を行い、
前記輝度操作部を操作することで変更される輝度と前記画質処理を行うための値とを組にしてＢＩＯＳに記憶することを特徴とする請求項７記載の表示制御方法。
【請求項１１】
前記表示装置の照明の輝度は輝度変更操作部によって変更され、
前記第２の信号処理部は、前記輝度変更操作部の操作によって変更される輝度に応じた画質処理を行うための値に基づいて画質処理を行い、
前記画質処理を行うための値は、コントラスト、ブライトネス、ヒュー、サチュレーション、およびガンマ補正のうちの少なくとも一つの値であることを特徴とする請求項７記載の表示制御方法。
【発明の詳細な説明】
【技術分野】
【０００１】
本発明は画像データを表示装置に表示可能な情報処理装置および同装置で用いられる表示制御方法に関する。
【背景技術】
【０００２】
近年、ＤＶＤ（Digital Versatile Disc）プレーヤ、ＴＶ装置のようなオーディオ・ビデオ（ＡＶ）機器と同様のＡＶ再生機能を備えたパーソナルコンピュータが開発されている。この種のパーソナルコンピュータにおいては、再生されるＡＶデータなどに基づいて高画質な映像をＬＣＤなどの表示装置に表示できるようにするための工夫が必要となる。
【０００３】
例えば、特許文献１には、映像表示手段の照明（フロントライト）の発光輝度および表示パネルにおける表示内容と、これに対して設定すべき画質調整パラメータ（エッジ強調情報、色ゲイン情報、コントラスト情報）とが１対１の関係で複数設けられたテーブルをＲＯＭ５０に記憶しておき、上記照明の発光輝度および現在の表示内容に対応するものとしてテーブルから読み出される画質調整パラメータによって表示パネルにおける表示映像の画質を調整する技術が開示されている。
【特許文献１】特開２００２−２７８５２２号公報（図４等）
【発明の開示】
【発明が解決しようとする課題】
【０００４】
ところで、ＴＶ番組などの動画像をＬＣＤに表示させる場合、バックライトの輝度の大きさによって映像の見栄えが大きく変わる。特に、パーソナルコンピュータに使用される最近のＬＣＤは、バックライトをかなり明るくすることができ、バックライトが取り得る最大輝度と最小輝度との差が大きい。そのため、例えば、ユーザがバックライトを最大輝度に設定変更した場合には、映像の明るい部分において白飛びが生じたり、逆に、バックライトを最小輝度に設定変更した場合には、映像の暗い部分において黒つぶれが生じたりする。そのような場合には、ＬＣＤに表示される映像の品質を均一に保つことができない。
【０００５】
上記文献の技術には、画質調整パラメータによって映像の画質を調整することが開示されているものの、上述したようにユーザがバックライトの輝度に関して最大輝度や最小輝度に設定変更するための操作を行った場合には対応することができず、映像の品質を均一に保つことはできない。
【０００６】
本発明は上述の事情を考慮してなされたものであり、表示装置の照明の輝度を変更する操作があっても高品質な画像表示を維持することが可能な情報処理装置および表示制御方法を提供することを目的とする。
【課題を解決するための手段】
【０００７】
本発明に係る情報処理装置は、照明を有する表示装置と、前記表示装置に表示する動画像データを形成する信号を生成する第１の信号処理部と、前記第１の信号処理部によって生成される信号に対して画質処理する第２の信号処理部と、前記照明の輝度に応じて画質処理を前記第２の信号処理部に行わせる制御手段とを具備することを特徴とする。
【０００８】
また、本発明は、照明を有する表示装置に動画像データを表示する表示制御方法であって、前記表示装置に表示する動画像データを形成する信号を第１の信号処理部によって生成し、前記第１の信号処理部によって生成される信号に対して前記照明の輝度に適する画質処理を第２の信号処理部によって行い、前記第２の信号処理部による画質処理が施された動画像データを前記表示装置に表示することを特徴とする。
【発明の効果】
【０００９】
本発明によれば、表示装置の照明の輝度を変更する操作があっても高品質な画像表示を維持することができる。
【発明を実施するための最良の形態】
【００１０】
以下、図面を参照して、本発明の実施形態を説明する。
【００１１】
まず、図１および図２を参照して、本発明の一実施形態に係る情報処理装置の構成について説明する。この情報処理装置は、例えば、ノートブック型パーソナルコンピュータ１０として実現されている。
【００１２】
図１はノートブック型パーソナルコンピュータ１０のディスプレイユニットを開いた状態における正面図である。本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。高画質（ＨＤ）映像に対応できるようにＬＣＤ１７の表示画面は１６：９のアスペクト比となっている。
【００１３】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１を電源オン／オフするためのパワーボタン１４、入力操作パネル１５、およびタッチパッド１６などが配置されている。
【００１４】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、ＤＶＤ／ＣＤ起動ボタン１５Ｂも含まれている。ＴＶ起動ボタン１５ＡはＴＶ放送番組データを再生するためのボタンである。ＴＶ起動ボタン１５Ａがユーザによって押下された時、ＴＶ放送番組データを再生するためのアプリケーションプログラムが自動的に起動される。ＤＶＤ／ＣＤ起動ボタン１５Ｂは、ＤＶＤまたはＣＤに記録されたビデオコンテンツを再生するためのボタンである。ＤＶＤ／ＣＤ起動ボタン１５Ｂがユーザによって押下された時、ビデオコンテンツを再生するためのアプリケーションプログラムが自動的に起動される。
【００１５】
本実施形態のコンピュータ１０においては、ＴＶ放送番組データ、ビデオコンテンツのような動画像データを高画質でＬＣＤ１７に表示するために、動画像データの再生時にその動画像データの画質を自動的に高画質化する機能が設けられている。
【００１６】
次に、図２を参照して、本コンピュータ１０のシステム構成について説明する。
【００１７】
本コンピュータ１０は、図２に示されているように、ＣＰＵ１１１、ノースブリッジ１１２、主メモリ１１３、グラフィクスコントローラ１１４、高画質化エンジン（ＨＶＥ；High quality Video Engine）１１５、ＴＭＤＳ（Ｒｘ）処理部１１６、ＬＶＤＳ（Ｔｘ）処理部１１７、スイッチ１１８、サウスブリッジ１１９、ＢＩＯＳ−ＲＯＭ１２０、ハードディスクドライブ（ＨＤＤ）１２１、光ディスクドライブ（ＯＤＤ）１２２、ＴＶチューナ１２３、およびエンベデッドコントローラ／キーボードコントローラＩＣ（ＥＣ／ＫＢＣ）１２４等を備えている。
【００１８】
ＣＰＵ１１１は本コンピュータ１０の動作を制御するために設けられたプロセッサであり、ハードディスクドライブ（ＨＤＤ）１２１から主メモリ１１３にロードされる、オペレーティングシステム（ＯＳ）および各種アプリケーションプログラムを実行する。ＯＳは、複数のウィンドウを表示画面上に表示するためのウィンドウシステムを有している。
【００１９】
動画像データ（例えば、ＴＶチューナ１２３によって受信されたＴＶ放送番組データ、ＤＶＤのような記憶メディアに格納されたビデオコンテンツなど）は、通常、その動画像データを再生するためのビデオ再生アプリケーションプログラムに対応するウィンドウ内に表示される。この場合、例えば、ビデオ再生アプリケーションプログラムに対応するウィンドウはデスクトップ画面上に配置され、そのウィンドウ内に動画像データが表示される（ウィンドウモード）。また、本コンピュータ１０は、動画像データをＬＣＤ１７の表示画面上にフルスクリーンモードで表示することもできる。このフルスクリーンモードにおいては、動画像データだけが表示画面上のほぼ全エリアに表示される。この場合、デスクトップ画面、およびビデオ再生アプリケーションプログラム以外の他のアプリケーションプログラムに対応するウィンドウは一切表示されない。また、ビデオ再生アプリケーションプログラムに対応するウィンドウのメニューバーなども表示されず、動画像データだけが表示画面上のほぼ全エリアに表示される。
【００２０】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２１】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２２】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）を有しており、ＯＳ／アプリケーションプログラムによってビデオメモリに描画された表示データから、ＬＣＤ１７に表示すべき表示イメージを形成する映像信号を生成する。ＬＣＤ１７に表示すべき表示イメージは、通常は、デスクトップ画面のイメージおよびそのデスクトップ画面上に配置されたウィンドウそれぞれのイメージとから構成される。しかし、動画像データをフルスクリーンモードで表示する場合には、ＬＣＤ１７に表示すべき表示イメージは、動画像データのイメージのみから構成される。したがって、動画像データをフルスクリーンモードで表示する場合には、動画像データの表示イメージのみを形成する映像信号がグラフィクスコントローラ１１４から出力される。
【００２３】
グラフィクスコントローラ１１４によって生成された映像信号はライン１およびライン２Ａにそれぞれ出力される。ライン１に出力される映像信号は、例えば、ＬＶＤＳ（Low voltage differential Signaling）形式の１８ビットの信号から構成されている。また、ライン２Ａに出力される映像信号は、例えば、ＴＭＤＳ（Transition Minimized Differential Signaling）形式の２４ビットの信号から構成されている。また、グラフィクスコントローラ１１４は、外部ＣＲＴ（Cathode Ray Tube）へアナログ映像信号を出力するためのインタフェース、およびアナログ映像信号をＳビデオ端子を介して外部に出力するためのインタフェースも有している。
【００２４】
ＴＭＤＳ（Ｒｘ）処理部１１６は、グラフィクスコントローラ１１４からライン２Ａを介して送られてくるＴＭＤＳ形式の２４ビットの信号を２４ビットのＲＧＢデジタル信号に変換し、その２４ビットのＲＧＢデジタル信号をライン２Ｂを介して高画質化エンジン（ＨＶＥ）１１５に送る。
【００２５】
高画質化エンジン（ＨＶＥ）１１５は、グラフィクスコントローラ１１４によって生成された映像信号を高画質化するための映像処理（以下、画質補正処理という）を実行する映像処理コントローラである。高画質化エンジン（ＨＶＥ）１１５はビデオメモリ（ＶＲＡＭ）１１５Ａを有している。画質補正処理はビデオメモリ（ＶＲＡＭ）１１５Ａ上で実行される。この画質補正処理は動画を高画質化するための動画像専用の映像処理であり、滑らかで高画質の動画像をＬＣＤ１７に表示するために実行される。この画質補正処理では、動画像の画質を改善するために、コントラスト調整、ブライトネス調整、ヒュー調整、サチュレーション調整、ガンマ補正、ホワイトバランス調整、輝度調整、シャープネス調整、輪郭強調（エッジエンハンスメント）、応答速度向上などの処理を行なうことが可能である。
【００２６】
また高画質化エンジン（ＨＶＥ）１１５は、コンポジット入力端子を介して外部のビデオ機器から入力される映像信号に対しても、画質補正処理を施すことができる。
【００２７】
高画質化エンジン（ＨＶＥ）１１５によって画質補正された映像信号は、ライン２Ｃを介してＬＶＤＳ（Ｔｘ）処理部１１７に送られる。ＬＶＤＳ（Ｔｘ）処理部１１７は、高画質化エンジン（ＨＶＥ）１１５から出力される画質補正されたＲＧＢデジタル信号をＬＶＤＳ（Low voltage differential Signaling）形式の信号に変換し、そのＬＶＤＳ形式の信号をライン２Ｄ上に出力する。なお、外付けのＬＣＤパネルを使用する場合は、ＬＶＤＳ（Ｔｘ）処理部１１７の出力に接続端子が接続される。
【００２８】
さらに、高画質化エンジン（ＨＶＥ）１１５は、映像信号の解像度およびアスペクト比を変更するためのスケーリング機能も有している。映像信号のスケーリングは、その映像信号の画質補正処理が実行された後に実行される。スケーリングされた映像信号に対して画質補正を行うよりも、スケーリング前のデータに対して画質補正処理を行い、その画質補正処理された映像信号をスケーリングした方が、動画像を高画質で表示することができる。
【００２９】
スイッチ１１８は、グラフィクスコントローラ１１４によって生成される映像信号および高画質化エンジン（ＨＶＥ）１１５によって画質補正された映像信号の一方を選択的にＬＣＤ１７に出力するセレクタとして機能する。このスイッチ１１８は、ライン１に接続された第１入力端子と、ライン２Ｄに接続された第２入力端子と、ＬＣＤ１７に接続された出力端子とを有している。スイッチ１１８は、ＥＣ／ＫＢＣ１２４から供給されるスイッチ制御信号ＳＷに応じて、第１入力端子および第２入力端子の一方を選択し、その選択した入力端子を出力端子に接続するように構成されている。このスイッチ１１８の働きにより、本実施形態においては、以下の２つの表示制御モードを用いることが出来る。
【００３０】
（１）ノーマルモード：  ノーマルモードにおいては、グラフィクスコントローラ１１４からの映像信号は高画質化エンジン（ＨＶＥ）１１５を経由せずにＬＣＤ１７に送出される。ノーマルモードは、ＬＣＤ１７に表示される表示イメージに例えば静止画像が含まれる場合に使用される。
【００３１】
（２）高画質モード：  高画質モードにおいては、グラフィクスコントローラ１１４からの映像信号は高画質化エンジン（ＨＶＥ）１１５を経由してＬＣＤ１７に送出される。高画質モードは、ＬＣＤ１７に表示される表示イメージに例えば静止画像が含まれない場合、つまり動画像データをフルスクリーンモードで表示する場合に使用される。
【００３２】
しかし、上記したスイッチ１１８の切替えの具体例は一例であり、動画／静止画に係わり無く、常に高画質モードにしてもよい。
【００３３】
サウスブリッジ１１９は、ＬＰＣ（Low Pin Count）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＴＶチューナ１２３を制御する機能、およびＢＩＯＳ−ＲＯＭ１２０をアクセス制御するための機能も有している。
【００３４】
光ディスクドライブ（ＯＤＤ）１２３は、ビデオコンテンツが格納されたＤＶＤ、ＣＤなどの記憶メディアを駆動するためのドライブユニットである。ＴＶチューナ１２３は、ＴＶ放送番組のような放送番組データを受信するための受信装置である。
【００３５】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。
【００３６】
さらに、エンベデッドコントローラ／キーボードコントローラＩＣ（ＥＣ／ＫＢＣ）１２４は、ＬＣＤ１７の照明（バックライト等）の輝度を設定変更する機能、Ｉ2Ｃバスを介して高画質化エンジン（ＨＶＥ）１１５との通信を行なう機能、およびスイッチ１１８に対して上述のスイッチ制御信号ＳＷを供給する機能を有している。
【００３７】
次に、図３を参照して、高画質化エンジン（ＨＶＥ）１１５の構成例について説明する。
【００３８】
高画質化エンジン（ＨＶＥ）１１５は、図示のように、ＲＧＢ／ＹＵＶ変換部２０１、画質補正処理部２０２、補正パラメータレジスタ２０３、およびＹＵＶ／ＲＧＢ変換部２０４等を備えている。
【００３９】
ＲＧＢ／ＹＵＶ変換部２０１は、ＴＭＤＳ（Ｒｘ）処理部１１６を介してグラフィクスコントローラ１１４から送信される映像信号を２４ビットのＲＧＢデジタル信号から２４ビットのＹＵＶ信号に変換する。画質補正処理部２０２は、このＹＵＶ信号に対して、画質補正（コントラスト調整、ブライトネス調整、ヒュー調整、サチュレーション調整、ガンマ補正、ホワイトバランス調整、輝度調整、シャープネス調整、輪郭強調（エッジエンハンスメント）、応答速度向上など）のための処理を施す。各補正／調整にはＬＣＤ１７の特性に合った補正値・調整値（以下、単に補正パラメータと称する）が使われ、そのための補正パラメータ（コントラスト、ブライトネス、ヒュー、サチュレーション、ガンマ補正などに関する各種パラメータ）が補正パラメータレジスタ２０３に格納されている。補正パラメータレジスタ２０３に格納されている補正パラメータは、ＥＣ／ＫＢＣ１２４による設定変更が可能となっている。
【００４０】
以下、主要な補正パラメータについて説明する。
【００４１】
コントラストは入力信号の変化に対する出力強度の変化率を変更することで調整する。すなわち、入力信号を横軸、表示される画像の明るさを縦軸としたグラフをプロットした場合、グラフの傾き度合いがコントラストの強さを表現する。コントラストを強くすると、画面中の明るい部分（明部）と暗い部分（暗部）との明るさの差がはっきりするようになり、特に文字などは読みやすくなる。ただし、あまりコントラストを高めると、暗部や明部が表示装置の表現できる明るさの範囲を越え、入力信号を正確に反映できなくなる。これを「黒つぶれ」、「白つぶれ（もしくは白飛び）」と呼ぶ。すなわち、「黒つぶれ」、「白つぶれ」が生じない範囲でコントラストを強くすることが望まれる。
【００４２】
ブライトネスは入力信号にかかわらず、画面全体の明るさを一律に変化させることで調整する。入力信号を横軸、表示される画像の明るさを縦軸としたグラフをプロットした場合、グラフの高さの変化がブライトネスを表現する。ブライトネスの調整は、表示装置が使用される環境の明るさに応じて、見やすさを調整する場合などに有効である。ただし、コントラストの調整の場合と同様、暗部や明部で表示装置の表現範囲を越えた場合、「黒つぶれ」や「白つぶれ」といった現象が発生するので、「黒つぶれ」、「白つぶれ」が生じない範囲でブライトネスを強くすることが望まれる。
【００４３】
色を表す数値と、実際に入出力される色の濃さとの応答特性をガンマという数値で表す。イメージ・スキャナや表示装置、プリンタなどの入出力機器は、それぞれ固有のガンマ値を持っている。システム全体の色補正を行なうために、このガンマ値を調整することをガンマ補正という。ガンマ値は入力信号に応じた出力信号の強度の非直線性の度合いを示すパラメータである。表示装置では、入力信号の値の変化に対して、出力強度（表示装置の場合、出力の明るさ）が直線的に変化するのが理想であるが、実際のデバイスではかならずしもそうはならない。入力信号の強度を０〜１の範囲に正規化した値をＩ、出力信号の強度を同範囲に正規化した値をＯとしたとき、両者の関係はほぼＯ＝Ｉγという式によって近似できる。このときのγの値をガンマ値と呼ぶ。
【００４４】
ＹＵＶ／ＲＧＢ変換部２０４は、画質補正処理された映像信号を２４ビットのＹＵＶ信号から１８ビットのＲＧＢ信号に変換する。このＲＧＢ信号は、ライン２Ｃを介してＬＶＤＳ（Ｔｘ）処理部１１７に送られる。
【００４５】
なお、図３には図示していないが、高画質化エンジン１１５はスケーリング処理機能も有しており、スケーリングレジスタに設定されたスケーリングパラメタ情報に従い、画質補正されたＹＵＶ信号をスケーリングする。このスケーリング処理により、動画像データのサイズ（解像度）は、ＬＣＤ１７の表示画面のサイズ（パネル解像度）に適したサイズに変更される。スケーリングパラメタ情報は、例えば、動画像データの解像度、動画像データのアスペクト比、およびＬＣＤ１７のパネル解像度等を含む。
【００４６】
図４は、ＬＣＤ１７のバックライトの輝度を変更する操作があった場合に高画質化エンジン１１５用の補正パラメータを設定変更するためのインタフェースの例である。
【００４７】
アプリケーション１５１は、ユーザがホットキー等を用いてＬＣＤ１７のバックライトの輝度を変更する操作を行った場合に発生する輝度変更イベント（輝度レベルのアップ又はダウン）を検出し、中間モジュール１５２にその旨を通知する。
【００４８】
中間モジュール１５２は、アプリケーション１５１から輝度変更指示の通知を受けると、ＨＣＩ（Hardware Configuration Interface）を介してシステムＢＩＯＳ１２０Ａの輝度変更用ファンクションを呼び出し、輝度レベルのアップ又はダウンの指示を通知する。
【００４９】
ＢＩＯＳ１２０Ａは、中間モジュール１５２から輝度レベルのアップ又はダウンの指示の通知を受けると、自身の輝度変更用ファンクションによって、例えば図５又は図６に示すようなテーブルを参照し、当該指示に従って現在の輝度レベルを例えば１段階アップ又はダウンした後の輝度レベルに対応する高画質化エンジン１１５用のパラメータの値を導出する。この場合のパラメータの値は、高画質化エンジン１１５で高画質処理される動画像のコントラスト、ブライトネス、ヒュー、サチュレーション、ガンマ補正値などを決定付ける各種パラメータの値に相当する。上記テーブル上には、ＬＣＤ１７のバックライトの各輝度レベルに対してそれぞれ画像の見栄えが良くなる（画像に白飛びや黒つぶれが生じないようにする）各種パラメータの値が予め登録されている。
【００５０】
図５に示されるテーブルの例では、８段階の輝度レベルに対し、３種類の高画質化エンジン１１５用パラメータが対応付けられている。すなわち、輝度レベル８にはパラメータＡ（例えば輝度300Cd〜600Cdに対応する各種パラメータ）が対応付けられ、輝度レベル７〜４にはパラメータＢ（例えば輝度200Cd〜300Cdに対応する各種パラメータ）が対応付けられ、輝度レベル３〜１にはパラメータＣ（例えば輝度20Cd〜200Cdに対応する各種パラメータ）が対応付けられている。このテーブルの例を採用した場合、輝度レベルのアップ又はダウンの指示があったときにパラメータの変更を実施する頻度をある程度下げることができ、システムＢＩＯＳ１２０Ａ等にかかる負荷を低減できる。
【００５１】
図６に示されるテーブルの例では、８段階の輝度レベルに対し、８種類の高画質化エンジン１１５用補正パラメータが対応付けられている。すなわち、輝度レベル８にはパラメータＤ（例えば輝度600Cdに対応する各種パラメータ）が対応付けられ、輝度レベル７にはパラメータＥ（例えば輝度500Cdに対応する各種パラメータ）が対応付けられ、輝度レベル６にはパラメータＦ（例えば輝度400Cdに対応する各種パラメータ）が対応付けられ、輝度レベル５にはパラメータＧ（例えば輝度300Cdに対応する各種パラメータ）が対応付けられ、輝度レベル４にはパラメータＨ（例えば輝度200Cdに対応する各種パラメータ）が対応付けられ、輝度レベル３にはパラメータＩ（例えば輝度100Cdに対応する各種パラメータ）が対応付けられ、輝度レベル２にはパラメータＪ（例えば輝度50Cdに対応する各種パラメータ）が対応付けられ、輝度レベル１にはパラメータＫ（例えば輝度20Cdに対応する各種パラメータ）が対応付けられている。このテーブルの例を採用した場合、輝度レベル毎に最適な各種パラメータを細かく設定することができるので、指定された輝度レベルに対して見栄えの良い画像を得ることができる。
【００５２】
上記ＢＩＯＳ１２０Ａの輝度変更用ファンクションは、高画質化エンジン１１５用のパラメータの値を導出すると、このパラメータの値と輝度レベルを示す値とを、ＥＣ／ＫＢＣ１２４の中に予め設けられている高画質化エンジン用パラメータレジスタとＬＣＤ用パラメータレジスタとにそれぞれ設定（再設定）する。
【００５３】
ＥＣ／ＫＢＣ１２４は、上記高画質化エンジン用パラメータレジスタに設定された値に応じて、高画質化エンジン１１５内の補正パラメータレジスタ２０３に補正パラメータの値を設定（再設定）するとともに、上記ＬＣＤ用パラメータレジスタに設定された値に応じて、ＬＣＤ１７のバックライトの輝度を設定（再設定）する。
【００５４】
画質化エンジン１１５は、補正パラメータレジスタ２０３に設定された補正パラメータを用いて高画質化処理を行い、処理後の画像を、バックライトの輝度が変更された後のＬＣＤ１７へ出力する。
【００５５】
次に、図７を参照して、ＬＣＤ１７のバックライトの輝度を変更する操作があった場合の動作を説明する。
【００５６】
ユーザがホットキー等を用いてＬＣＤ１７のバックライトの輝度を変更する操作を行なうと、輝度変更イベント（輝度レベルのアップ又はダウン）が発生する（ステップ１１）。
【００５７】
アプリケーション１５１は、発生した輝度変更イベントを検出すると、中間モジュール１５２にその旨を通知する（ステップ１２）。
【００５８】
中間モジュール１５２は、アプリケーション１５１から輝度変更指示の通知を受けると、ＨＣＩを介してシステムＢＩＯＳ１２０Ａの輝度変更用ファンクションを呼び出し、輝度レベルのアップ又はダウンの指示を通知する（ステップ１３）。
【００５９】
ＢＩＯＳ１２０Ａは、中間モジュール１５２から輝度レベルのアップ又はダウンの指示の通知を受けると、自身の輝度変更用ファンクションによって、例えば図５又は図６に示したテーブルを参照し、当該指示に従って現在の輝度レベルを例えば１段階アップ又はダウンした後の輝度レベルに対応する高画質化エンジン１１５用のパラメータの値を導出する。次いで、ＢＩＯＳ１２０Ａの輝度変更用ファンクションは、導出した高画質化エンジン１１５用のパラメータの値と輝度レベルを示す値とを、ＥＣ／ＫＢＣ１２４の中に予め設けられている高画質化エンジン用パラメータレジスタとＬＣＤ用パラメータレジスタとにそれぞれ設定（再設定）する（ステップＳ１４）。
【００６０】
ＥＣ／ＫＢＣ１２４は、上記高画質化エンジン用パラメータレジスタに設定された値に応じて、高画質化エンジン１１５内の補正パラメータレジスタ２０３に補正パラメータの値を設定（再設定）するとともに、上記ＬＣＤ用パラメータレジスタに設定された値に応じて、ＬＣＤ１７のバックライトの輝度を設定（再設定）する（ステップＳ１５）。
【００６１】
画質化エンジン１１５は、補正パラメータレジスタ２０３に設定された補正パラメータを用いて高画質化処理を行い、処理後の画像を、バックライトの輝度が変更された後のＬＣＤ１７へ出力する（ステップＳ１６）。
【００６２】
このように本実施形態によれば、ユーザがバックライトの輝度に関して例えば最大輝度や最小輝度に設定変更した場合であっても、映像の白飛びや黒つぶれが生じることがなく、ＬＣＤに表示される映像の品質を均一に保つことができる。
【００６３】
なお、上記実施形態においては、ＬＣＤ１７のバックライトの輝度を変更する操作があった場合について例示したが、本発明はこれに限定されるものではなく、ＬＣＤ１７のフロントライトなど、他の照明の輝度を変更する操作があった場合にも適用可能である。
【００６４】
また、上記実施形態においては、ＬＣＤ１７のバックライトの輝度を変更する操作があった場合について例示したが、本発明はこれに限定されるものではなく、他の要因で輝度変更イベントが発生した場合にも適用できる。例えば、電源管理においてバッテリ量の増減に伴ってＬＣＤ１７の照明の輝度が変化するような機構が設けられている場合にも適用可能である。
【００６５】
また、上記実施形態においては、テーブルを参照して輝度レベルから高画質化エンジン１１５用のパラメータの値を導出する処理をＢＩＯＳ１２０Ａの輝度変更用ファンクションが行なう場合を例示したが、この処理を代りにＥＣ／ＫＢＣ１２４が行なうように構築してもよい。この場合、ＥＣ／ＫＢＣ１２４内に高画質化エンジン用パラメータレジスタを設ける必要はなく、ＥＣ／ＫＢＣ１２４はＬＣＤ用パラメータレジスタに設定される輝度レベルの値に基づいて高画質化エンジン１１５用のパラメータの値を導出する。
【００６６】
また、上記実施形態においては、ＬＣＤ１７に表示される表示イメージに静止画像が含まれる場合はグラフィクスコントローラ１１４からの映像信号は高画質化エンジン１１５を経由せずに直接ＬＣＤ１７に送出される例を説明したが、動画のみならず静止画についても高画質化エンジン１１５により色補正等を行なってもよい。また、高画質化処理はＹＵＶの映像信号に対して行なっているが、ＲＧＢの映像信号に対して行なってもよい。
【００６７】
また、グラフィクスコントローラ１１４と高画質化エンジン１１５とを１つのＬＳＩにて実現することもできる。この場合、グラフィクスコントローラ１１４および高画質化エンジン１１５は当該ＬＳＩ内の２つの信号処理部としてそれぞれ機能する。
【００６８】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６９】
【図１】本発明の一実施形態に係るコンピュータの外観を示す斜視図。
【図２】図１のコンピュータのシステム構成を示すブロック図。
【図３】図１のコンピュータに設けられた高画質化エンジンの構成を示すブロック図。
【図４】図１のコンピュータに設けられた高画質化エンジンに補正パラメータを設定するためのインタフェースの例を示す図。
【図５】図４中のＢＩＯＳが使用するテーブルの例を示す図。
【図６】図４中のＢＩＯＳが使用するテーブルの他の例を示す図。
【図７】図１のコンピュータにおいて実行される表示制御処理の手順を示すフローチャート。
【符号の説明】
【００７０】
１０…コンピュータ、１７…ＬＣＤ、１５Ａ…ＴＶ起動ボタン、１５Ｂ…ＤＶＤ／ＣＤ起動ボタン、１１４…グラフィクスコントローラ、１１５…高画質化エンジン、１１８…スイッチ、２０１…ＲＧＢ／ＹＵＶ変換部、２０２…画質補正処理部、２０３…補正パラメータレジスタ、２０４…ＹＵＶ／ＲＧＢ変換部。
【図１】
2006030911.tif 000003
【図２】
2006030911.tif 000004
【図３】
2006030911.tif 000005
【図４】
2006030911.tif 000006
【図５】
2006030911.tif 000007
【図６】
2006030911.tif 000008
【図７】
2006030911.tif 000009